(57)【特許請求の範囲】
【請求項１】
第１の移動端末が係わる通信に関して、無線セルラー通信ネットワークの第１の基地局から第２の基地局へのハンドオーバが実行されるべきであるか否かを判定する方法であって、前記方法は、前記第２の基地局によって実行されるステップであって、
前記第１の移動端末が係わる前記通信を前記第１の基地局から前記第２の基地局にハンドオーバすることを要求する第１のメッセージを受信するステップであって、該メッセージは前記第１の移動端末に割り当てられた一時的識別子を含む、第１のメッセージを受信するステップと、
前記第１のメッセージに含まれる前記一時的識別子が、移動端末が係わる通信のハンドオーバが許可される移動端末の一時的識別子のリストに含まれるか否かを調べるステップであって、該リストは前記第２の基地局を介しての呼設定が既に許可されている移動端末の一時的識別子から構成される、調べるステップと、
前記第１の基地局に第２のメッセージを転送するステップであって、前記第１のメッセージに含まれる前記一時的識別子が、前記一時的識別子のリストに含まれる場合には、前記第２のメッセージは前記通信の前記ハンドオーバを実行するのを了解することを表し、前記第１のメッセージに含まれる前記一時的識別子が、前記一時的識別子のリストに含まれない場合には、前記第２のメッセージは前記通信の前記ハンドオーバを実行するのを拒否することを表す、第２のメッセージを転送するステップと
を含み、前記方法はさらに、
第２の移動端末から、前記第２の基地局を介して遠隔の通信デバイスとの通信の確立を要求する第３のメッセージを受信するステップであって、該第３のメッセージは前記第２の移動端末に割り当てられた一時的識別子を含む、第３のメッセージを受信するステップと、
前記通信の確立が、前記無線セルラー通信ネットワークのエンティティによって許可されるか否かを調べるステップと、
前記通信の確立が許可される場合には、前記移動端末の一時的識別子のリストに前記第２の移動端末の識別子を挿入するステップと
を含むことを特徴とする方法。
【請求項２】
請求項１に記載の方法であって、前記方法はさらに、
前記エンティティから、移動端末の一時的識別子の別のリストを含む第４のメッセージを受信するステップと、
前記移動端末の一時的識別子のリストを、前記第４のメッセージに含まれる前記移動端末の一時的識別子の別のリストで置き換えるステップと
を含むことを特徴とする方法。
【請求項３】
請求項１に記載の方法であって、前記方法はさらに、
前記エンティティから、移動端末の少なくとも一対の一時的識別子を含む第４のメッセージを受信するステップと、
前記移動端末の一時的識別子のリストにおいて、対のうちの第１の要素に対応する一時的識別子のそれぞれを、該対のうちの第２の要素で置き換えるステップと
を含むことを特徴とする方法。
【請求項４】
請求項１に記載の方法であって、前記方法はさらに、
前記エンティティから、少なくとも１つのコマンドと、少なくとも１つの一時的識別子とを含む第４のメッセージを受信するステップと、
前記少なくとも１つのコマンドに従って、前記第４のメッセージに含まれる前記少なくとも１つの一時的識別子を、前記移動端末の一時的識別子のリストに追加するステップ、又は前記移動端末の一時的識別子のリストから削除するステップと
を含むことを特徴とする方法。
【請求項５】
請求項１〜４のいずれか一項に記載の方法であって、前記第２の基地局は移動端末の一義的識別子のリストを記憶することを特徴とし、前記方法はさらに、
前記エンティティに、前記移動端末の一義的識別子のリストを含む第５のメッセージを転送するステップと、
前記第５のメッセージに応答して、前記第５のメッセージに一義的識別子が含まれる移動端末に割り当てられた一時的識別子のリストを含む第６のメッセージを受信するステップと
を含むことを特徴とする方法。
【請求項６】
無線セルラー通信ネットワークのエンティティによって管理されるエリア内の基地局間で、第１の移動端末が係わる通信のハンドオーバが実行されるべきであるか否かを判定することができるようにする方法であって、前記方法は、前記エンティティによって実行されるステップであって、
前記第１の移動端末に一時的識別子を割り当てるステップと、
前記第１の移動端末の通信が経由することを許可されている基地局のリストを入手するステップと、
前記基地局のリストにおいて特定される基地局のそれぞれに、少なくとも前記第１の移動端末の前記一時的識別子を含む第１のメッセージを転送するステップと
を含むことを特徴とする方法。
【請求項７】
請求項６に記載の方法であって、前記方法はさらに、
前記基地局から、前記基地局を介しての前記第１の移動端末が係わる通信の確立を要求する第２のメッセージを受信するステップであって、前記第２のメッセージは、前記第１の移動端末に割り当てられた一時的識別子を含む、第２のメッセージを受信するステップと、
前記基地局を介しての前記通信の前記確立を容認するステップと、
前記第１の移動端末の通信が経由することを許可されている基地局のリストを変更するステップと
を含むことを特徴とする方法。
【請求項８】
請求項６又は７に記載の方法であって、前記エンティティは、前記基地局毎に、前記移動端末が係わる通信に関して、別の基地局から前記基地局へのハンドオーバが許可される移動端末の一義的識別子のリストを記憶することを特徴とし、前記方法はさらに、
前記移動端末の一義的識別子のリストが変更されるときに、前記基地局に第３のメッセージを転送するステップであって、前記第３のメッセージは、前記移動端末が係わる通信に関して、別の基地局から前記基地局へのハンドオーバが許可される移動端末の一時的識別子のリストを含む、第３のメッセージを転送するステップ
を含むことを特徴とする方法。
【請求項９】
請求項８に記載の方法であって、
前記移動端末が係わる通信に関して、別の基地局から前記基地局へのハンドオーバが許可される移動端末の一義的識別子の前記リストは、前記基地局から受信され、
前記第３のメッセージに含まれる前記リスト内の移動端末の一時的識別子のそれぞれは、前記第３のメッセージに含まれる前記リスト内において、前記受信された一義的識別子のリスト内の前記移動端末の前記一義的識別子の位置とは異なる位置を有する
ことを特徴とする方法。
【請求項１０】
第１の移動端末が係わる通信に関して、無線セルラー通信ネットワークの第１の基地局から第２の基地局へのハンドオーバが実行されるべきであるか否かを判定するためのデバイスであって、前記デバイスは前記第２の基地局に収容され、前記デバイスは、
前記第１の移動端末が係わる前記通信を前記第１の基地局から前記第２の基地局にハンドオーバすることを要求する第１のメッセージを受信する手段であって、該メッセージは前記第１の移動端末に割り当てられた一時的識別子を含む、第１のメッセージを受信する手段と、
前記第１のメッセージに含まれる前記一時的識別子が、移動端末が係わる通信のハンドオーバが許可される移動端末の一時的識別子のリストに含まれるか否かを調べる手段であって、該リストは前記第２の基地局を介しての呼設定が既に許可されている移動端末の一時的識別子から構成される、調べる手段と、
前記第１の基地局に第２のメッセージを転送する手段であって、前記第１のメッセージに含まれる前記一時的識別子が、前記一時的識別子のリストに含まれる場合には、前記第２のメッセージは前記通信の前記ハンドオーバを実行するのを了解することを表し、前記第１のメッセージに含まれる前記一時的識別子が、前記一時的識別子のリストに含まれない場合には、前記第２のメッセージは前記通信の前記ハンドオーバを実行するのを拒否することを表す、第２のメッセージを転送する手段と
を備え、前記デバイスはさらに、
第２の移動端末から、前記第２の基地局を介して遠隔の通信デバイスとの通信の確立を要求する第３のメッセージを受信する手段であって、該第３のメッセージは前記第２の移動端末に割り当てられた一時的識別子を含む、第３のメッセージを受信する手段と、
前記通信の確立が、前記無線セルラー通信ネットワークのエンティティによって許可されるか否かを調べる手段と、
前記通信の確立が許可される場合には、前記移動端末の一時的識別子のリストに前記第２の移動端末の識別子を挿入する手段と
を備えることを特徴とするデバイス。
【請求項１１】
無線セルラー通信ネットワークのエンティティによって管理されるエリア内の基地局間で、第１の移動端末が係わる通信のハンドオーバが実行されるべきであるか否かを判定することができるようにするためのデバイスであって、前記デバイスは、前記エンティティに収容され、
前記第１の移動端末に一時的識別子を割り当てる手段と、
前記第１の移動端末の通信が経由することを許可されている基地局のリストを入手する手段と、
前記基地局のリストにおいて特定される基地局のそれぞれに、少なくとも前記第１の移動端末の前記一時的識別子を含む第１のメッセージを転送する手段と
を含むことを特徴とするデバイス。
【請求項１２】
プログラマブルデバイス内に直にロードすることができるコンピュータプログラムであって、前記コンピュータプログラムが前記プログラマブルデバイス上で実行されるときに、請求項１〜５のいずれか一項に記載の方法のステップを実施するための命令又はコードの一部を含む、コンピュータプログラム。
【請求項１３】
プログラマブルデバイス内に直にロードすることができるコンピュータプログラムであって、前記コンピュータプログラムが前記プログラマブルデバイス上で実行されるときに、請求項６〜９のいずれか一項に記載の方法のステップを実施するための命令又はコードの一部を含む、コンピュータプログラム。
【発明の詳細な説明】
【技術分野】
【０００１】
本発明は、移動端末が係わる通信に関して、第１の基地局から第２の基地局へのハンドオーバが実行されるべきであるか否かを判定することができるようにする方法及びデバイスに関する。
【０００２】
【特許文献１】米国特許第００５８８７２５６Ａ号
【背景技術】
【０００３】
従来の無線セルラー通信ネットワークは、１つ又は複数のセルを個々にカバーする多数の基地局から構成される。
【０００４】
セルは、１つの基地局によってブロードキャストされる基準信号が所与の閾値よりも高いレベルで受信されるエリアである。
【０００５】
基地局の隣接するセルは異なる識別子を有する。移動端末が種々の基地局によって転送される信号を検出するときに、それらの信号の発信源が曖昧になるのを避けるために、各基地局は、その基地局が管理するセルの識別子をブロードキャストする。
【０００６】
移動端末があるセルから他のセルへ移動するとき、その移動端末は他のセルの信号を測定し、そのセルの識別子を読み取り、これについてネットワークに通知する。移動端末がこれらの信号を報告するとき、その移動端末に現時点でサービスを提供している基地局と別の基地局との間で、その移動端末が係わる通信のハンドオーバが必要とされることがある。その際、その移動端末に現時点でサービスを提供している基地局は、他の基地局にハンドオーバ要求コマンドを送信する。
【０００７】
各移動端末は、無線セルラー通信ネットワーク内で特定される必要がある。
【０００８】
移動端末のＩＭＳＩによって、移動端末を単一義(univocally)に特定することができるようになる。ＩＭＳＩは、移動端末内の加入者識別モジュール（ＳＩＭ）に格納され、移動端末によって、無線セルラー通信ネットワークに送信される。移動端末が、無線インターフェース上で盗聴者によって特定され、追跡されるのを避けるために、ＩＭＳＩは可能な限り低い頻度で送信され、代わりに、ランダムに生成されるＴＭＳＩが送信される。
【０００９】
移動端末に割り当てられるＴＭＳＩは変化するため、一時的識別子である。したがって、移動端末のＩＭＳＩとＴＭＳＩとの間のリンクを記憶するネットワークのエンティティを調べることなしに、移動端末が基地局の資源を使用することができるか否かを判定するための鍵としてＴＭＳＩを使用することはできない。このエンティティは、移動管理エンティティと呼ばれる。
【００１０】
そのような手順は時間がかかり、迅速に実行される必要があるハンドオーバ手順には適していないことがある。
【発明の開示】
【発明が解決しようとする課題】
【００１１】
それゆえ、本発明の目的は、移動端末が係わる通信に関して、第１の基地局から第２の基地局へのハンドオーバが実行されるべきであるか否かを判定することができるようにする方法及びデバイスを提案することである。
【課題を解決するための手段】
【００１２】
その目的のために、本発明は、第１の移動端末が係わる通信に関して、無線セルラー通信ネットワークの第１の基地局から第２の基地局へのハンドオーバが実行されるべきであるか否かを判定する方法であって、当該方法は、第２の基地局によって実行されるステップであって、
第１の移動端末が係わる通信を第１の基地局から第２の基地局にハンドオーバすることを要求する第１のメッセージを受信するステップであって、当該メッセージは第１の移動端末に割り当てられた一時的識別子を含む、第１のメッセージを受信するステップと、
第１のメッセージに含まれる一時的識別子が、移動端末が係わる通信のハンドオーバが許可される移動端末の一時的識別子のリストに含まれるか否かを調べるステップと、
第１の基地局に第２のメッセージを転送するステップであって、第１のメッセージに含まれる一時的識別子が、一時的識別子のリストに含まれる場合には、第２のメッセージは通信のハンドオーバを実行するのを了解することを表し、第１のメッセージに含まれる一時的識別子が、一時的識別子のリストに含まれない場合には、第２のメッセージは通信のハンドオーバを実行するのを拒否することを表す、第２のメッセージを転送するステップと
を含むことを特徴とする方法に関する。
【００１３】
また、本発明は、第１の移動端末が係わる通信に関して、無線セルラー通信ネットワークの第１の基地局から第２の基地局へのハンドオーバが実行されるべきであるか否かを判定するためのデバイスであって、当該デバイスは第２の基地局に収容され、当該デバイスは、
第１の移動端末が係わる通信を第１の基地局から第２の基地局にハンドオーバすることを要求する第１のメッセージを受信する手段であって、当該メッセージは第１の移動端末に割り当てられた一時的識別子を含む、第１のメッセージを受信する手段と、
第１のメッセージに含まれる一時的識別子が、移動端末が係わる通信のハンドオーバが許可される移動端末の一時的識別子のリストに含まれるか否かを調べる手段と、
第１の基地局に第２のメッセージを転送する手段であって、第１のメッセージに含まれる一時的識別子が、一時的識別子のリストに含まれる場合には、第２のメッセージは通信のハンドオーバを実行するのを了解することを表し、第１のメッセージに含まれる一時的識別子が、一時的識別子のリストに含まれない場合には、第２のメッセージは通信のハンドオーバを実行するのを拒否することを表す、第２のメッセージを転送する手段と
を備えることを特徴とするデバイスにも関する。
【００１４】
したがって、第２の基地局は、望ましくない移動端末のハンドオーバを早期に拒否することができる。このことは、移動端末がアクセス権を有するか否かを調べるための、無線セルラー通信ネットワークの他のエンティティとの高くつくシグナリング手順を引き起こさない。
【００１５】
特定の特徴によれば、移動端末が係わる通信のハンドオーバが許可される移動端末の一時的識別子のリストは、第２の基地局を介しての呼設定が既に許可されている移動端末の一時的識別子から構成される。
【００１６】
したがって、通信を正常に確立した移動端末は、基地局にハンドオーバすることができる。
【００１７】
呼設定時における無線セルラー通信ネットワークの基地局及び他のエンティティとのシグナリング手順並びにメッセージ交換に伴う遅延は、ハンドオーバ手順時における遅延ほどには致命的ではない。
【００１８】
特定の特徴によれば、第２の基地局は、
第２の移動端末から、第２の基地局を介して遠隔の通信デバイスとの通信の確立を要求する第３のメッセージを受信し、当該第３のメッセージは、第２の移動端末に割り当てられた一時的識別子を含み、
通信の確立が、無線セルラー通信ネットワークのエンティティによって許可されるか否かを調べ、
通信の確立が許可される場合には、移動端末の一時的識別子のリストに第２の移動端末の識別子を挿入する。
【００１９】
したがって、通信を正常に確立した移動端末は、基地局にハンドオーバすることができる。呼設定時における無線セルラー通信ネットワークの基地局及び他のエンティティとのシグナリング手順並びにメッセージ交換に伴う遅延は、ハンドオーバ手順時における遅延ほどには致命的ではない。
【００２０】
特定の特徴によれば、第２の基地局は、
エンティティから、移動端末の一時的識別子の別のリストを含む第４のメッセージを受信し、
移動端末の一時的識別子のリストを、第４のメッセージに含まれる移動端末の一時的識別子の別のリストで置き換える。
【００２１】
したがって、第２の基地局は、一時的識別子が変更されたとしても、一時的識別子の更新されたリストを保持することができる。
【００２２】
特定の特徴によれば、第２の基地局は、
エンティティから、移動端末の少なくとも一対の一時的識別子を含む第４のメッセージを受信し、
移動端末の一時的識別子のリストにおいて、対のうちの第１の要素に対応する一時的識別子のそれぞれを、該対のうちの第２の要素で置き換える。
【００２３】
したがって、第２の基地局は、一時的識別子が変更されたとしても、一時的識別子の更新されたリストを保持することができる。
【００２４】
特定の特徴によれば、第２の基地局は、
エンティティから、少なくとも１つのコマンドと、少なくとも１つの一時的識別子とを含む第４のメッセージを受信し、
少なくとも１つのコマンドに従って、第４のメッセージに含まれる少なくとも１つの一時的識別子を、移動端末の一時的識別子のリストに追加するか、又は移動端末の一時的識別子のリストから削除する。
【００２５】
したがって、第２の基地局は、一時的識別子が変更されたとしても、一時的識別子のリストを更新することができる。
【００２６】
特定の特徴によれば、第２の基地局は移動端末の一義的識別子（univocal identifier）のリストを記憶し、また、第２の基地局は、
エンティティに、移動端末の一義的識別子のリストを含む第５のメッセージを転送し、
第５のメッセージに応答して、第５のメッセージに一義的識別子が含まれる移動端末に割り当てられた一時的識別子のリストを含む第６のメッセージを受信する。
【００２７】
したがって、第２の基地局は、一時的識別子が変更されたとしても、一時的識別子のリストを更新することができる。
【００２８】
また、本発明は、無線セルラー通信ネットワークのエンティティによって管理されるエリア内の基地局間で、第１の移動端末が係わる通信のハンドオーバが実行されるべきであるか否かを判定することができるようにする方法であって、当該方法は、エンティティによって実行されるステップであって、
第１の移動端末に一時的識別子を割り当てるステップと、
第１の移動端末の通信が経由することを許可されている基地局のリストを入手するステップと、
基地局のリストにおいて特定される基地局のそれぞれに、少なくとも第１の移動端末の一時的識別子を含む第１のメッセージを転送するステップと
を含む方法にも関する。
【００２９】
また、本発明は、無線セルラー通信ネットワークのエンティティによって管理されるエリア内の基地局間で、第１の移動端末が係わる通信のハンドオーバが実行されるべきであるか否かを判定することができるようにするためのデバイスであって、当該デバイスは、エンティティに収容され、
第１の移動端末に一時的識別子を割り当てる手段と、
第１の移動端末の通信が経由することを許可されている基地局のリストを入手する手段と、
基地局のリストにおいて特定される基地局のそれぞれに、少なくとも第１の移動端末の一時的識別子を含む第１のメッセージを転送する手段と
を含むデバイスにも関する。
【００３０】
したがって、各基地局には、その基地局を介して通信を行ってきた移動端末に割り当てられた最新の一時的識別子が通知される。移動端末がその基地局のセルを離れてまた戻るときに、新たに割り当てられた一時的識別子による通信が、その基地局を介して以前に行われていなかった場合であっても、任意のハンドオーバ要求が容認される。
【００３１】
特定の特徴によれば、エンティティは、
基地局から、基地局を介しての第１の移動端末が係わる通信の確立を要求する第２のメッセージを受信し、当該第２のメッセージは、第１の移動端末に割り当てられた一時的識別子を含み、
基地局を介しての通信の確立を容認し、
第１の移動端末の通信が経由することを許可されている基地局のリストを変更する。
【００３２】
特定の特徴によれば、エンティティは、基地局毎に、移動端末が係わる通信に関して、別の基地局からその基地局へのハンドオーバが許可される移動端末の一義的識別子のリストを記憶し、また、エンティティは、移動端末の一義的識別子のリストが変更されるときに、基地局に第３のメッセージを転送し、第３のメッセージは、移動端末が係わる通信に関して、別の基地局からその基地局へのハンドオーバが許可される移動端末の一時的識別子のリストを含む。
【００３３】
したがって、基地局には、その基地局の資源へのアクセスを有する全ての移動端末が通知される。
【００３４】
特定の特徴によれば、移動端末が係わる通信に関して、別の基地局からその基地局へのハンドオーバが許可される移動端末の一義的識別子のリストは、及び第３のメッセージに含まれるリスト内の移動端末の一時的識別子のそれぞれは、第３のメッセージに含まれるリスト内において、受信された一義的識別子のリスト内の移動端末の一義的識別子の位置とは異なる位置を有する。
【００３５】
したがって、一時的識別子のリストと一義的識別子のリストとの間で順序が異なるため、基地局又は盗聴者は、所与の移動端末の一義的識別子と一時的識別子との間の関連を推測することはできない。リストのサイズが１より大きい場合、各移動端末が実際何処に位置しているのかを判定するのがさらに難しくなるであろう。
【００３６】
さらに別の態様によれば、本発明は、プログラマブルデバイス内へ直接ロードすることができるコンピュータプログラムであって、当該コンピュータプログラムがプログラマブルデバイス上で実行されるとき、本発明による方法のステップを実施するための命令又はコード片を含む、コンピュータプログラムに関する。
【００３７】
コンピュータプログラムに関連する特徴及び利点は、本発明による方法及びデバイスに関連して上記で説明したものと同じであるため、ここでは繰り返さないことにする。
【００３８】
本発明の特徴は、実施形態の一例の以下の説明を読むことによってより明らかになる。上記説明は、添付の図面に関して作成されている。
【発明を実施するための最良の形態】
【００３９】
図１は、本発明が実施される無線セルラー通信ネットワークのアーキテクチャを表す図である。
【００４０】
この無線セルラー通信ネットワークでは、移動管理エンティティＭＭＥが、通信ネットワークを介して複数の基地局ＢＳ１〜ＢＳ５にリンクされる。
【００４１】
通信ネットワークは、専用の有線ネットワーク、公衆交換網のような公衆網、ＩＰベースネットワーク、無線ネットワーク、非同期転送モードネットワーク、又は上記で列挙されたネットワークの組み合わせである。
【００４２】
移動管理エンティティＭＭＥは、その移動管理エンティティＭＭＥが担当している各移動端末ＭＴに関連するデータを管理する。
【００４３】
移動管理エンティティＭＭＥは、その移動管理エンティティＭＭＥが管理する無線セルラー通信ネットワークのエリア内に位置している移動端末ＭＴを担当する。
【００４４】
移動管理エンティティＭＭＥは、その移動管理エンティティＭＭＥが担当している移動端末ＭＴの位置を追跡する。
【００４５】
各移動端末ＭＴに関連するデータは少なくとも、その移動管理エンティティＭＭＥによって移動端末ＭＴに割り当てられた一時的識別子と、移動端末ＭＴの一義的識別子とを含む。
【００４６】
一義的識別子は、無線セルラー通信ネットワーク内で、いかなる時にいかなる場所においても、移動端末ＭＴを一意に特定することができるようにする識別子である。一時的識別子は、無線セルラー通信ネットワークの或るエリア内でのみ移動端末ＭＴを一意に特定することができるようにする識別子であり、且つ／又は、限られた時間期間だけ割り当てられる識別子である。異なる時間に、又は無線セルラー通信ネットワークの異なるエリアにおいて、複数の移動端末ＭＴに同じ一時的識別子が割り当てられることがあるため、一時的識別子だけでは、移動端末ＭＴを一義的に特定することはできない。
【００４７】
一義的識別子は、一例として、移動端末ＭＴのＳＩＭメモリ内に格納される、移動端末ＭＴの国際的移動体加入者識別番号(International Mobile Subscriber Identity)である。
【００４８】
一義的識別子は、移動端末ＭＴの電話番号、又は移動端末ＭＴのユーザのメールアドレスとすることもできる。
【００４９】
一時的識別子は、一例として、移動管理エンティティＭＭＥによって移動端末ＭＴに割り当てられるＴＭＳＩである。ＴＭＳＩは、一時的移動体加入者識別番号(Temporary Mobile Subscriber Identity)を表す。
【００５０】
各移動端末ＭＴに関連するデータは、移動端末ＭＴのアクセス権、移動端末ＭＴを認証するために用いられる認証鍵、暗号鍵、移動端末ＭＴへのサービス品質を供給するためのポリシー、移動端末ＭＴへのデータの転送を担当するユーザプレーンエンティティのアドレス等も含むことがある。
【００５１】
基地局ＢＳ１〜ＢＳ５は、それらの基地局がそれぞれ管理する少なくとも１つのエリアＣ１〜Ｃ５を介して、信号又はメッセージを転送及び／又は受信することができる。エリアＣ１〜Ｃ５は、無線セルラー通信ネットワークにおいて、セルと呼ばれる。
【００５２】
基地局ＢＳ１は、自身が管理するセルＣ１を介して、信号又はメッセージを転送及び／又は受信する。基地局ＢＳ２は、自身が管理するセルＣ２を介して、信号又はメッセージを転送及び／又は受信する。基地局ＢＳ３は、自身が管理するセルＣ３を介して、信号又はメッセージを転送及び／又は受信する。基地局ＢＳ４は、自身が管理するセルＣ４を介して、信号又はメッセージを転送及び／又は受信する。基地局ＢＳ５は、自身が管理するセルＣ５を介して、信号又はメッセージを転送及び／又は受信する。
【００５３】
図１では、３つの移動端末ＭＴ１〜ＭＴ３が示される。移動端末ＭＴ１は、基地局ＢＳ５のセルＣ５内に位置する。移動端末ＭＴ２は、基地局ＢＳ１のセルＣ１内、基地局ＢＳ２のセルＣ２内、及び基地局ＢＳ４のセルＣ４内に位置する。移動端末ＭＴ３は、基地局ＢＳ３のセルＣ３内に位置する。
【００５４】
図１には、３つの移動端末ＭＴのみが示されるが、無線セルラー通信ネットワーク内に、さらに多くの数の移動端末ＭＴが存在することを理解することができる。
【００５５】
図１には、５つの基地局ＢＳ及び１つの移動管理エンティティＭＭＥのみが示されるが、無線セルラー通信ネットワーク内に、さらに多くの数の基地局ＢＳ及び移動管理エンティティＭＭＥが存在することを理解することができる。
【００５６】
本発明によれば、各基地局ＢＳは、移動端末が係わる通信に関して、別の基地局ＢＳからその基地局ＢＳへのハンドオーバが許可される移動端末ＭＴの一時的識別子ＴＭＳＩのリストを記憶する。
【００５７】
移動端末が係わる通信のハンドオーバが許可される移動端末ＭＴの一時的識別子ＴＭＳＩのリストに含まれる一時的識別子ＴＭＳＩは、その基地局ＢＳを介しての呼設定が既に許可されている移動端末ＭＴの一時的識別子ＴＭＳＩである。
【００５８】
一例として、基地局ＢＳ１によって記憶される一時的識別子ＴＭＳＩのリストは、移動端末ＭＴ１及びＭＴ２の識別子を含む。
【００５９】
基地局ＢＳ２によって記憶される一時的識別子ＴＭＳＩのリストは、移動端末ＭＴ１及びＭＴ３の識別子を含む。基地局ＢＳ３によって記憶される一時的識別子ＴＭＳＩのリストは移動端末ＭＴ３の識別子を含む。基地局ＢＳ４によって記憶される一時的識別子ＴＭＳＩのリストは移動端末ＭＴ２の識別子を含み、基地局ＢＳ５によって記憶される一時的識別子ＴＭＳＩのリストは移動端末ＭＴ５の識別子を含む。
【００６０】
図２は、本発明による基地局のブロック図である。
【００６１】
各基地局ＢＳは、たとえば、バス２０１によって互いに接続されるコンポーネントと、図４に開示するようなプログラムによって制御されるプロセッサ２００とに基づくアーキテクチャを有する。
【００６２】
バス２０１は、プロセッサ２００を、読み出し専用メモリＲＯＭ２０２、ランダムアクセスメモリＲＡＭ２０３、無線インターフェース２０５、及びネットワークインターフェース２０４にリンクする。
【００６３】
メモリ２０３は、移動端末が係わる通信に関して、別の基地局ＢＳからその基地局ＢＳへのハンドオーバが許可される移動端末ＭＴの変数、及び図４に開示するようなアルゴリズムに関連するプログラムの命令を受信するように構成されるレジスタを含む。
【００６４】
プロセッサ２００は、ネットワークインターフェース２０４及び無線インターフェース２０５の動作を制御する。
【００６５】
読み出し専用メモリ２０２は、図４に開示するようなアルゴリズムに関連するプログラムの命令を含む。これらの命令は、基地局ＢＳに電源が投入されるときに、ランダムアクセスメモリ２０３へ転送される。
【００６６】
基地局ＢＳは、ネットワークインターフェース２０４を介して通信ネットワークに接続されている。例として、ネットワークインターフェース２０４は、ＤＳＬ（デジタル加入者線）モデム、又はＩＳＤＮ（サービス統合デジタル網）インターフェース等である。このようなインターフェースを介して、基地局ＢＳは移動管理エンティティＭＭＥと情報を交換する。
【００６７】
無線インターフェース２０５によって、基地局ＢＳは、その基地局ＢＳが管理するセルＣ内で、信号又はメッセージを転送及び／又は受信することができるようになる。
【００６８】
基地局ＢＳが移動端末ＭＴを管理するとき、移動端末ＭＴは、無線インターフェース２０５及びネットワークインターフェース２０４を介して、遠隔する通信デバイスとの通信を確立又は受信することができる。
【００６９】
図３は、本発明による移動管理エンティティのブロック図である。
【００７０】
移動管理エンティティＭＭＥは、たとえば、バス３０１によって互いに接続される構成要素と、図５に開示するようなプログラムによって制御されるプロセッサ３００とに基づくアーキテクチャを有する。
【００７１】
バス３０１は、プロセッサ３００を、読み出し専用メモリＲＯＭ３０２、ランダムアクセスメモリＲＡＭ３０３、データベース３０５、及びネットワークインターフェース３０４にリンクする。
【００７２】
メモリ３０３は、変数、及び図５に開示するようなアルゴリズムに関連するプログラムの命令を受信するように構成されるレジスタを含む。
【００７３】
プロセッサ３００は、ネットワークインターフェース３０４の動作を制御する。
【００７４】
読み出し専用メモリ３０２は、図５に開示するようなアルゴリズムに関連するプログラムの命令を含む。これらの命令は、移動管理エンティティＭＭＥに電源が投入されるときに、ランダムアクセスメモリ３０３へ転送される。
【００７５】
移動管理エンティティＭＭＥは、ネットワークインターフェース３０４を介して通信ネットワークに接続される。例として、ネットワークインターフェース３０４は、ＤＳＬ（デジタル加入者線）モデム、又はＩＳＤＮ（サービス統合デジタル網）インターフェース等である。このようなインターフェースを介して、移動管理エンティティＭＭＥは、基地局ＢＳと情報を交換する。
【００７６】
データベース３０５は、移動管理エンティティＭＭＥに接続される基地局ＢＳ毎に、移動端末が係わる通信に関して別の基地局ＢＳからその基地局ＢＳへのハンドオーバが許可される移動端末ＭＴの一義的識別子のリストを記憶する。
【００７７】
データベース３０５は、データベース３０５に記憶される移動端末ＭＴの一義的識別子毎に、移動端末ＭＴに一時的識別子が現在割り当てられている場合には、一義的識別子と割り当てられている一時的識別子ＴＭＳＩとの間のリンクを記憶する。
【００７８】
限定はしないが、データベース３０５は、移動管理エンティティＭＭＥに接続される基地局ＢＳ毎に、移動端末が係わる通信に関して別の基地局ＢＳからその基地局ＢＳへのハンドオーバが許可される移動端末ＭＴの一時的識別子ＴＭＳＩのリストも含むことが好ましい。
【００７９】
図４は、本発明による、各基地局によって実行されるアルゴリズムを示す。
【００８０】
より厳密には、本アルゴリズムは、各基地局ＢＳのプロセッサ２００によって実行される。
【００８１】
ステップＳ４００では、プロセッサ２００は、ネットワークインターフェース２０４を介して別の基地局ＢＳからハンドオーバ要求コマンドが受信されているか否かを調べる。ハンドオーバ要求コマンドは、別の基地局ＢＳを介して移動端末ＭＴが係わる通信が、その基地局ＢＳの無線インターフェース２０５及びネットワークインターフェース２０４を経由することができるようにするための要求を表す。
【００８２】
一例として、ハンドオーバ要求コマンドは、基地局ＢＳ４を介して移動端末ＭＴ２が係わる通信が、基地局ＢＳ１を介して継続することができるようにするための要求を表す。
【００８３】
ハンドオーバ要求コマンドが受信されている場合には、プロセッサ２００はステップＳ４０１に進む。そうでない場合には、プロセッサ２００はステップＳ４１０に進む。
【００８４】
ステップＳ４０１では、プロセッサ２００は、受信したメッセージから、ハンドオーバが要求される移動端末ＭＴの一時的識別子ＴＭＳＩを抽出する。すなわち、移動端末ＭＴ２の一時的識別子ＴＭＳＩを抽出する。
【００８５】
ステップＳ４０２では、プロセッサ２００は、抽出された一時的識別子ＴＭＳＩが、ＲＡＭメモリ２０３に記憶される一時的識別子ＴＭＳＩのリストに含まれるか否かを調べる。抽出された一時的識別子ＴＭＳＩが一時的識別子ＴＭＳＩのリストに含まれる場合には、プロセッサ２００はステップＳ４０３に進む。抽出された一時的識別子ＴＭＳＩが一時的識別子ＴＭＳＩのリストに含まれない場合には、プロセッサ２００はステップＳ４０４に進む。
【００８６】
一例として、基地局ＢＳ１によって記憶される一時的識別子ＴＭＳＩのリストが、移動端末ＭＴ１及びＭＴ２の識別子を含むとき、基地局ＢＳ１のプロセッサ３００はステップＳ４０３に進む。
【００８７】
ハンドオーバ要求コマンドが、基地局ＢＳ４を介して移動端末ＭＴ２が係わる通信が基地局ＢＳ２を介して継続することができるようにするための要求を表す場合には、基地局ＢＳ２によって記憶される一時的識別子ＴＭＳＩのリストは、移動端末ＭＴ２の識別子を含まないので、基地局ＢＳ２のプロセッサ３００はステップＳ４０４に進む。
【００８８】
ステップＳ４０３では、プロセッサ２００は、ステップＳ４００において受信したハンドオーバ要求コマンドの送信元の基地局ＢＳへの、ハンドオーバ応答メッセージの転送を指示する。
【００８９】
ハンドオーバ応答メッセージは、移動端末ＭＴが係わる通信のハンドオーバに進むのを了解したことを表す。
【００９０】
基地局ＢＳ１のプロセッサ２００は、ハンドオーバ応答メッセージを基地局ＢＳ１に転送するように指示する。移動端末ＭＴ２が係わる通信は、基地局ＢＳ１の無線インターフェース２０５及びネットワークインターフェース２０４を経由するようになる。
【００９１】
その後、プロセッサ２００はステップＳ４００に戻り、新たなメッセージを受信するのを待つ。
【００９２】
ステップＳ４０４では、プロセッサ２００は、ステップＳ４００において受信したハンドオーバ要求コマンドの送信元の基地局ＢＳへの、ハンドオーバ拒否メッセージの転送を指示する。
【００９３】
拒否応答メッセージは、移動端末ＭＴが係わる通信のハンドオーバに進むのを拒否したことを表す。
【００９４】
基地局ＢＳ２のプロセッサ２００は、ハンドオーバ拒否メッセージを基地局ＢＳ４に転送するように指示する。
【００９５】
ステップＳ４１０では、プロセッサ２００は、受信したメッセージが基地局ＢＳのセルＣ内に位置する移動端末ＭＴによって転送される呼設定要求であるか否かを調べる。
【００９６】
呼設定要求は、呼設定要求を送信する移動端末ＭＴの一時的識別子ＴＭＳＩを含むメッセージである。呼設定要求は、移動端末ＭＴが、基地局ＢＳ及び無線セルラー通信ネットワークを介して、遠隔の通信デバイスとの通信を確立しようとするときに送信される。
【００９７】
一例として、移動端末ＭＴ３が、基地局ＢＳ３に呼設定要求を送信する。
【００９８】
受信したメッセージが呼設定要求である場合には、プロセッサ２００はステップＳ４１１に進む。そうでない場合には、プロセッサ２００はステップＳ４３０に進む。
【００９９】
ステップＳ４１１では、プロセッサ２００は、その呼設定が無線セルラー通信ネットワークのエンティティによって許可されるか否かを調べる。一例として、限定はしないが、プロセッサ２００は、移動管理エンティティＭＭＥに呼設定要求メッセージを転送するように指示する。そのメッセージは、ステップＳ４００において受信したメッセージを送信した移動端末ＭＴの一時的識別子ＴＭＳＩを含む。
【０１００】
移動管理エンティティＭＭＥは、一時的識別子ＴＭＳＩ、及びＴＭＳＩによって特定される移動端末ＭＴに関連するデータから、呼設定が容認されるか否かを判定する。それに応答して、移動管理エンティティＭＭＥは、判定の結果を基地局ＢＳに転送する。
【０１０１】
呼設定が無線セルラー通信ネットワークの１つのエンティティによって許可される場合には、プロセッサ２００はステップＳ４１２に進む。そうでない場合には、プロセッサ２００はステップＳ４１７に進む。
【０１０２】
ステップＳ４１２では、プロセッサ２００は、受信したメッセージに含まれる一時的識別子ＴＭＳＩが、ＲＡＭメモリ２０３に記憶される一時的識別子ＴＭＳＩのリストに含まれるか否かを調べる。ＲＡＭメモリ２０３に記憶される一時的識別子ＴＭＳＩのリストは、移動端末が係わる通信に関して、別の基地局ＢＳからその基地局ＢＳへのハンドオーバが許可される移動端末ＭＴの一時的識別子ＴＭＳＩのリストである。
【０１０３】
一時的識別子ＴＭＳＩが、一時的識別子ＴＭＳＩのリストに含まれる場合には、プロセッサ２００はステップＳ４１４に進む。受信したメッセージに含まれる一時的識別子ＴＭＳＩが、一時的識別子ＴＭＳＩのリストに含まれない場合には、プロセッサ２００はＳ４１４に進む。
【０１０４】
ステップＳ４１３では、プロセッサ２００は、ステップＳ４００において受信したメッセージを送信した移動端末ＭＴの一時的識別子ＴＭＳＩを、ＲＡＭメモリ２０３に記憶される一時的識別子ＴＭＳＩのリストに追加する。その後、プロセッサ２００は、ステップＳ４１４に進む。
【０１０５】
ステップＳ４１４では、プロセッサ２００は、ステップＳ４００において受信したメッセージを送信した移動端末ＭＴの一時的識別子ＴＭＳＩに関連するタイムスタンプを保存する。
【０１０６】
次のステップＳ４１５では、プロセッサ２００は、一時的識別子ＴＭＳＩのリストに含まれる一時的識別子ＴＭＳＩの数が、所定の値Ｎよりも大きいか否かを調べる。
【０１０７】
一時的識別子ＴＭＳＩのリストに含まれる一時的識別子ＴＭＳＩの数がＮよりも大きい場合には、プロセッサ２００はステップＳ４１６に進む。そうでない場合には、プロセッサ２００はステップＳ４００に戻り、新たなメッセージを受信するのを待つ。
【０１０８】
ステップＳ４１６では、プロセッサ２００は、最も古いタイムスタンプが関連付けられる一時的識別子ＴＭＳＩを、一時的識別子ＴＭＳＩのリストから削除する。同じステップにおいて、プロセッサ２００は最も古いタイムスタンプを削除する。
【０１０９】
その後、プロセッサ２００はステップＳ４００に戻り、新たなメッセージを受信するのを待つ。
【０１１０】
ステップＳ４１７では、プロセッサ２００は、一時的識別子ＴＭＳＩがＲＡＭメモリ２０３に記憶される一時的識別子ＴＭＳＩのリストに含まれるか否かを調べる。一時的識別子ＴＭＳＩが一時的識別子ＴＭＳＩのリストに含まれる場合には、プロセッサ２００はステップＳ４１８に進む。抽出された一時的識別子ＴＭＳＩが一時的識別子ＴＭＳＩのリストに含まれない場合には、プロセッサ２００はステップＳ４１９に進む。
【０１１１】
ステップＳ４１８では、プロセッサ２００は、ステップＳ４００において受信したメッセージを送信した移動端末ＭＴの一時的識別子ＴＭＳＩをＲＡＭメモリ２０３に記憶される一時的識別子ＴＭＳＩのリストから削除する。その後、プロセッサ２００はステップＳ４１９に進む。
【０１１２】
ステップＳ４１９では、プロセッサ２００は、ステップＳ４００において移動端末ＭＴによって転送された呼設定要求を拒否する。
【０１１３】
その後、プロセッサ２００はステップＳ４００に戻り、新たなメッセージを受信するのを待つ。
【０１１４】
ステップＳ４３０では、プロセッサ２００は、ステップＳ４００において受信したメッセージが一時的識別子ＴＭＳＩのリストの変更を表すメッセージであるか否かを調べる。
【０１１５】
そのメッセージが一時的識別子ＴＭＳＩのリストの変更を表すメッセージである場合には、プロセッサ２００はステップＳ４３１に進む。そうでない場合には、プロセッサ２００はステップＳ４４０に進む。
【０１１６】
第１の実現形態によれば、そのメッセージは、ＲＡＭメモリ２０３に格納される一時的識別子ＴＭＳＩの新たなリストを含む。
【０１１７】
第２の実現形態によれば、そのメッセージは、移動端末ＭＴの２つの一時的識別子ＴＭＳＩを含む。一方の一時的識別子ＴＭＳＩは、移動端末ＭＴに以前に割り当てられていた一時的識別子ＴＭＳＩであり、他方の一時的識別子ＴＭＳＩは、移動端末ＭＴに新たに割り当てられた識別子である。
【０１１８】
第３の実現形態によれば、そのメッセージは、削除コマンドと、移動端末ＭＴの一時的識別子ＴＭＳＩとを含む。
【０１１９】
第４の実現形態によれば、そのメッセージは、追加コマンドと、移動端末ＭＴの一時的識別子ＴＭＳＩとを含む。
【０１２０】
次のステップＳ４３１では、プロセッサ２００は、ＲＡＭメモリ２０３に記憶された一時的識別子ＴＭＳＩのリストを更新する。
【０１２１】
第１の実現形態によれば、プロセッサ２００は、ＲＡＭメモリ２０３に一時的識別子ＴＭＳＩの新たなリストを格納し、そのリスト内の一時的識別子ＴＭＳＩに関連する各タイムスタンプを更新する。
【０１２２】
第２の実現形態によれば、プロセッサ２００は、一時的識別子ＴＭＳＩのリストにおいて、移動端末ＭＴに以前に割り当てられていた一時的識別子ＴＭＳＩを、別の一時的識別子ＴＭＳＩに置き換えて、関連するタイムスタンプを更新する。
【０１２３】
第３の実現形態によれば、プロセッサ２００は、移動端末ＭＴの一時的識別子ＴＭＳＩを削除し、関連するタイムスタンプを削除する。
【０１２４】
第４の実現形態によれば、プロセッサ２００は、一時的識別子ＴＭＳＩのリストに一時的識別子ＴＭＳＩを追加し、それにタイムスタンプを関連付ける。
【０１２５】
その後、プロセッサ２００はステップＳ４００に戻り、新たなメッセージを受信するのを待つ。
【０１２６】
本発明の特定の実現形態によれば、基地局ＢＳは一義的識別子のリストを含む。そのリストの各一義的識別子は、その基地局ＢＳを介して通信を確立又は継続することを、その基地局ＢＳの管理者によって許可された移動端末の一義的識別子である。
【０１２７】
その特定の実現形態によれば、プロセッサ２００は、ステップＳ４４０において、移動端末ＭＴの少なくとも１つの一義的識別子の変更があるか否かを調べる。
【０１２８】
少なくとも１つの移動端末ＭＴの少なくとも１つの一義的識別子の変更がある場合には、プロセッサ２００はステップＳ４４１に進む。そうでない場合には、プロセッサ２００はステップＳ４００に戻る。
【０１２９】
少なくとも１つの一義的識別子の変更は、その基地局ＢＳの管理者によって実行される。一例として、管理者は、基地局ＢＳのマンマシンインターフェースを介して、少なくとも１つの一義的識別子の新たなリストを入力する。限定はしないが、少なくとも１つの一義的識別子のリストは、複数の一義的識別子を含むことが好ましい。
【０１３０】
各一義的識別子は、その基地局ＢＳを介して通信を確立又は継続することを、その基地局ＢＳの管理者によって許可された移動端末ＭＴである。言い換えると、その基地局ＢＳを介してのアクセス権を有する移動端末ＭＴの一義的識別子である。
【０１３１】
ステップＳ４４１では、プロセッサ２００は、移動端末ＭＴの少なくとも１つの一義的識別子を含むリストを、移動管理エンティティＭＭＥに転送するように指示する。その後、プロセッサはステップＳ４４１に戻る。
【０１３２】
図５は、本発明による、移動管理エンティティによって実行されるアルゴリズムを示す。
【０１３３】
より厳密には、本アルゴリズムは、移動管理エンティティＭＭＥのプロセッサ３００によって実行される。
【０１３４】
ステップＳ５００では、プロセッサ３００は、移動端末ＭＴの再配置が実行される必要があるか否か、又は移動端末ＭＴの新たな一時的識別子ＴＭＳＩが割り当てられる必要があるか否かを調べる。
【０１３５】
移動端末ＭＴが移動管理エンティティＭＭＥによって管理されるエリアに入るとき、又はそのエリアから出るときに、移動端末ＭＴの再配置が実行される必要がある。
【０１３６】
一例として、移動端末ＭＴが新たな移動管理エンティティＭＭＥによって管理されるエリアに入るときに、又は一時的識別子ＴＭＳＩが所定の時間だけ移動端末ＭＴに割り当てられているときに、移動端末ＭＴに新たな一時的識別子ＴＭＳＩが割り当てられる必要がある。
【０１３７】
移動端末ＭＴの再配置が実行されなければならない場合、及び／又は移動端末ＭＴの新たな一時的識別子ＴＭＳＩが割り当てられなければならない場合には、プロセッサ３００はステップＳ５０１に進む。そうでない場合には、プロセッサ３００はステップＳ５２０に進む。
【０１３８】
ステップＳ５０１では、プロセッサ３００は、データベース３０５から、移動端末ＭＴによる呼設定要求が経由することを許可されている基地局ＢＳのリストを入手する。そのために、プロセッサ３００は、処理中の移動端末ＭＴ、すなわち、再配置に係わる、且つ／又は一時的識別子ＴＭＳＩが割り当てられる必要がある移動端末ＭＴの一義的識別子を使用する。
【０１３９】
次のステップＳ５０２では、プロセッサ３００は、処理中の移動端末ＭＴが、移動管理エンティティＭＭＥによって管理されるエリアから出ようとしているか否かを調べる。移動端末ＭＴが移動管理エンティティＭＭＥによって管理されるエリアから出ようとしているとき、その移動管理エンティティＭＭＥは、その移動端末ＭＴが入ろうとしているエリアを管理する別の移動管理エンティティＭＭＥからメッセージを受信する。
【０１４０】
移動端末ＭＴが移動管理エンティティＭＭＥによって管理されるエリアから出ようとしている場合には、プロセッサ３００はステップＳ５０３に進む。そうでない場合には、プロセッサ３００はステップＳ５０４に進む。
【０１４１】
ステップＳ５０３では、プロセッサ３００は、処理中の移動端末ＭＴの一時的識別子ＴＭＳＩをデータベース３０５から削除し、一時的識別子ＴＭＳＩと一義的識別子との間のリンクを削除する。
【０１４２】
その後、プロセッサ３００はステップＳ５０８に進む。
【０１４３】
ステップＳ５０４では、プロセッサ３００は、処理中の移動端末ＭＴが移動管理エンティティＭＭＥによって管理されるエリアに入ろうとしているか否かを調べる。
【０１４４】
処理中の移動端末ＭＴが移動管理エンティティＭＭＥによって管理されるエリアに入ろうとしている場合には、プロセッサ３００はステップＳ５０６に進む。そうでない場合には、プロセッサ３００はステップＳ５０５に進む。
【０１４５】
移動端末ＭＴが移動管理エンティティＭＭＥによって管理されるエリアに入ろうとしているとき、移動管理エンティティＭＭＥは、その移動管理エンティティＭＭＥが管理するエリア内に位置する基地局からメッセージを受信する。
【０１４６】
ステップＳ５０５では、プロセッサ３００は、データベース３０５において、処理中の移動端末ＭＴの一義的識別子にリンクされる一時的識別子を、新たな一時的識別子ＴＭＳＩで置き換える。
【０１４７】
ステップＳ５０６では、プロセッサ３００は、一時的識別子ＴＭＳＩを、処理中の移動端末ＭＴに割り当てる。
【０１４８】
次のステップＳ５０７では、プロセッサ３００は、データベース３０５に、一時的識別子ＴＭＳＩと処理中の移動端末ＭＴの一義的識別子との間のリンクを追加する。プロセッサ３００は、基地局用に、移動端末が係わる通信に関して、別の基地局ＢＳからその基地局ＢＳへのハンドオーバが許可される移動端末ＭＴのリストに、処理中の移動端末ＭＴの一義的識別子を追加する。
【０１４９】
その後、プロセッサ３００はステップＳ５０８に進む。
【０１５０】
ステップＳ５０８では、プロセッサ３００は、ステップＳ５０１において得られたリスト内で特定される各基地局ＢＳに、一時的識別子ＴＭＳＩのリストの変更を表すメッセージを転送する。
【０１５１】
第１の実現形態によれば、基地局ＢＳに転送される各メッセージは、基地局ＢＳのＲＡＭメモリ２０３に格納される一時的識別子ＴＭＳＩのリストを置き換える、一時的識別子ＴＭＳＩのリストを含む。
【０１５２】
第２の実現形態によれば、各メッセージは、処理中の移動端末ＭＴの２つの一時的識別子ＴＭＳＩを含む。一方の一時的識別子ＴＭＳＩは、移動端末ＭＴに以前に割り当てられていた一時的識別子ＴＭＳＩであり、他方の一時的識別子ＴＭＳＩは、移動端末ＭＴに新たに割り当てられた識別子である。
【０１５３】
第３の実現形態によれば、メッセージは、削除コマンドと、ステップＳ５０５又はＳ５０６において移動端末ＭＴに割り当てられた一時的識別子ＴＭＳＩとを含む。
【０１５４】
第４の実現形態によれば、メッセージは、追加コマンドと、ステップＳ５０３において削除された一時的識別子ＴＭＳＩとを含む。
【０１５５】
その後、プロセッサ３００はステップＳ５００に戻る。
【０１５６】
ステップＳ５２０では、プロセッサ３００は、基地局ＢＳから呼設定要求メッセージが受信されているか否かを調べる。呼設定要求メッセージは、図４のステップＳ４１１に開示したメッセージと同様である。そのメッセージは、基地局ＢＳにそのメッセージを送信した移動端末ＭＴの一時的識別子ＴＭＳＩを含む。
【０１５７】
次のステップＳ５２１では、プロセッサ３００は、呼設定要求メッセージを送信した基地局ＢＳの識別子を、ＲＡＭメモリ３０３に記憶する。
【０１５８】
ステップＳ５２２では、プロセッサ３００は、一時的識別子ＴＭＳＩにリンクする一義的識別子を特定し、移動端末ＭＴに関連するデータから、呼設定が容認されるか否かを判定する。
【０１５９】
呼設定が容認される場合には、プロセッサ３００はステップＳ５２３に進む。そうでない場合には、プロセッサ３００はステップＳ５２５に進む。
【０１６０】
ステップＳ５２３では、プロセッサ３００は、基地局用に、移動端末が係わる通信に関して、別の基地局ＢＳからその基地局へのハンドオーバが許可される移動端末ＭＴのリストに、処理中の移動端末ＭＴの一義的識別子を追加する。
【０１６１】
実現形態の一変形形態によれば、移動管理エンティティＭＭＥは、図４のステップＳ４１３、Ｓ４１１８、及びＳ４１６において開示されたような基地局ＢＳの代わりに、各基地局ＢＳによって記憶される一時的識別子のリストを管理する。
【０１６２】
その変形形態によれば、プロセッサ３００は、次のステップＳ５２４において、許可される一時的識別子ＴＭＳＩのリストを、その識別子がステップＳ５２１において記憶された基地局ＢＳに送信する。
【０１６３】
ステップＳ５２５では、プロセッサ３００は、移動端末ＭＴの一時的識別子ＴＭＳＩが、移動端末が係わる通信に関して、別の基地局ＢＳから、その識別子がステップＳ５２１において記憶された基地局ＢＳへのハンドオーバが許可される移動端末ＭＴの一時的識別子ＴＭＳＩを含むリストに含まれるか否かを調べる。
【０１６４】
移動端末ＭＴの一時的識別子ＴＭＳＩがリストに含まれる場合には、プロセッサ３００はステップＳ５２６に進む。そうでない場合には、プロセッサ３００はステップＳ５２７に進む。
【０１６５】
ステップＳ５２６では、プロセッサ３００は、移動端末が係わる通信に関して、別の基地局ＢＳからその基地局ＢＳへのハンドオーバが許可される移動端末ＭＴの一時的識別子ＴＭＳＩを含むリストから、その移動端末ＭＴの一時的識別子ＴＭＳＩを削除する。
【０１６６】
次のステップＳ５２７では、プロセッサ３００は、許可される一時的識別子ＴＭＳＩのリストを、その識別子がステップＳ５２１において記憶された基地局ＢＳに送信する。
【０１６７】
その後、プロセッサ３００はステップＳ５００に戻る。
【０１６８】
ステップＳ５４０では、プロセッサ３００は、移動端末が係わる通信に関して、別の基地局ＢＳから或る基地局ＢＳへのハンドオーバが許可される移動端末ＭＴの一義的識別子の１つのリストが変更される必要があるか否かを調べる。
【０１６９】
移動端末ＭＴの少なくとも１つの一義的識別子のリストを含むメッセージが基地局ＢＳから受信されるとき、又は移動端末ＭＴが無線セルラー通信ネットワークのクライアントになるときに、一義的識別子のリストが変更される必要がある。
【０１７０】
移動端末ＭＴの少なくとも１つの一義的識別子のリストを含むメッセージが基地局ＢＳから受信される場合、又は移動端末が係わる通信に関して、別の基地局ＢＳからその基地局ＢＳへのハンドオーバが許可される移動端末ＭＴの一義的識別子を含むリストが、無線セルラー通信ネットワークのクライアントになる移動端末ＭＴの少なくとも１つの一義的識別子を含む場合には、プロセッサ３００はステップＳ５４１に進む。そうでない場合には、プロセッサ３００はステップＳ５００に戻る。
【０１７１】
ステップＳ５４１では、プロセッサ３００は、ＲＡＭメモリ３０３に、そのメッセージを送信した基地局ＢＳの識別子を記憶するか、又は移動端末ＭＴが係わる通信に関して、別の基地局からその基地局へのハンドオーバが許可される移動端末ＭＴの一義的識別子を含むリストが、無線セルラー通信ネットワークのクライアントになる移動端末ＭＴの一義的識別子を含む基地局の識別子を記憶する。
【０１７２】
次のステップＳ５４２では、プロセッサ３００は、基地局ＢＳから受信された移動端末ＭＴの少なくとも１つの一義的識別子のリストに含まれる一義的識別子毎に一時的識別子ＴＭＳＩを決定するか、又はクライアントになる移動端末ＭＴの一時的識別子ＴＭＳＩを決定し、それを一義的識別子にリンクする。
【０１７３】
次のステップＳ５４３では、プロセッサ３００は、移動端末ＭＴが係わる通信に関して、別の基地局ＢＳからその基地局ＢＳへのハンドオーバが許可される移動端末ＭＴの一時的識別子ＴＭＳＩのリストに、決定された各一時的識別子ＴＭＳＩを追加する。
【０１７４】
次のステップＳ５４４では、プロセッサ２００は、ステップＳ５４３において得られた、移動端末ＭＴが係わる通信に関して、別の基地局ＢＳからその基地局ＢＳへのハンドオーバが許可される移動端末ＭＴの一時的識別子ＴＭＳＩの新たなリストをシャッフルする。シャッフルは、シャッフルされたリスト内では、各一時的識別子ＴＭＳＩが、ステップＳ５４０において受信した一義的識別子のリストにおける、各一時的識別子ＴＭＳＩがリンクする一義的識別子の位置とは異なる位置を有することを意味する。
【０１７５】
次のステップＳ５４５では、プロセッサ３００は、その識別子がステップＳ５４１において記憶されている基地局ＢＳに、シャッフルリストを送信する。
【０１７６】
その後、プロセッサ２００はステップＳ５００に戻る。
【０１７７】
当然ながら、本発明の範囲から逸脱することなく、上述した本発明の実施形態に対して多くの変更を行うことができる。
【図面の簡単な説明】
【０１７８】
【図１】本発明が実施される無線セルラー通信ネットワークのアーキテクチャを表す図である。
【図２】本発明による基地局のブロック図である。
【図３】本発明による移動管理エンティティのブロック図である。
【図４】本発明による各基地局によって実行されるアルゴリズムを示す図である。
【図５】本発明による移動管理エンティティによって実行されるアルゴリズムを示す図である。
【図１】
0005038993.tif 000002
【図２】
0005038993.tif 000003
【図３】
0005038993.tif 000004
【図４】
0005038993.tif 000005
【図５】
0005038993.tif 000006